(57)【要約】【課題】使い勝手を維持したまま視認方向の指向性を抑制する。【解決手段】切替処理が常時実行されており、基準上部Ｕが上に設置された場合には方向センサ１７の検知に基づき通常通り基準上部Ｕ側が映像の上方となるように映像が表示される。一方、基準上部Ｕが下に設置された場合には方向センサ１７の検知に基づき基準上部Ｕ側が映像の下方となるように映像が表示される。いずれの場合においても、方向センサ１７の検知に基づいて、実際に上方となっている方向に映像の上方が向くように切り換えられている。【選択図】図４
2008281622.tif 000002
【特許請求の範囲】
【請求項１】
ディスプレイが備えられた表示装置において、
視認しやすい方向の指向性が偏った上記ディスプレイを保持するとともに、複数の角度で設置可能な筐体と、
上記筐体の設置方向を検知可能な方向センサと、
上記ディスプレイに対して映像を出力する映像処理回路と、
上記方向センサによる設置方向の検知に基づいて上記映像処理回路が出力する映像の角度を切り換える切替手段とを具備することを特徴とする表示装置。
【請求項２】
デジタルテレビジョン放送を受信し上記映像処理回路に放送データを出力するデジタルチューナを具備することを特徴とする請求項１に記載の表示装置。
【請求項３】
上記筐体は下底側に上記ディスプレイを保持する側方視略等角台形状の外形を有することを特徴とする請求項１または請求項２のいずれか一項に記載の表示装置。
【請求項４】
液晶ディスプレイが備えられた液晶テレビジョンにおいて、
視認しやすい方向の指向性が偏った上記液晶ディスプレイを保持するとともに、下底側にて上記液晶ディスプレイを保持する側方視略等角台形状の外形を有し、上下を反転させたいずれの角度でも設置可能な据置型の筐体と、
上記筐体の上下の設置方向を検知可能な方向センサと、
上記液晶ディスプレイに対して映像を出力する映像処理回路と、
デジタルテレビジョン放送を受信し上記映像処理回路に放送データを出力するデジタルチューナと、
上記方向センサによる上下の設置方向の検知に基づいて上記映像処理回路が出力する映像の角度を１８０度反転させるか否かを切り換える切替手段とを具備することを特徴とする液晶テレビジョン。
【発明の詳細な説明】
【技術分野】
【０００１】
この発明は、液晶テレビジョンおよび表示装置に関し、特に視認しやすい方向に指向性を有する液晶ディスプレイが備えられた液晶テレビジョンおよび表示装置に関する。
【背景技術】
【０００２】
液晶ディスプレイにおいては、液晶分子の構造や配向に異方性があり、見やすい角度に指向性が生じることは避けられない。したがって、視聴者の液晶ディスプレイに対する位置によって見やすくなったり、見づらくなったりすることがあった。特に、ポータブル液晶テレビジョンでは、視聴者が任意の位置に設置し、任意の角度から視聴することができるため、視聴者が液晶ディスプレイの指向性に不満を感じることが多くなっていた。このような問題に対して、液晶パネルを筐体に対して回転可能に取り付けるとともに、液晶パネルに表示させる画像の角度を回転させるための操作ボタンを備えたものが提案されている（特許文献１、参照。）。
かかる構成によれば、視聴者が見にくいと感じたときに、液晶パネルとともに画像を回転させることができるため、視聴者に対する画像の方向は維持したまま液晶パネルの視認性を向上させることが可能であった。
【特許文献１】特開平５−５６４２４号公報
【発明の開示】
【発明が解決しようとする課題】
【０００３】
しかしながら、液晶パネルと画像の方向を切り換える操作が独立しているため、視聴者がどの方向に液晶パネルを回転させたときに、どの方向に画像を回転させるべきかを考えて操作しなければならず、使い勝手が悪いという問題があった。
本発明は、このような課題にかんがみてなされたもので、使い勝手がよく視認方向の指向性を抑制できる液晶テレビジョンおよび表示装置の提供を目的とする。
【課題を解決するための手段】
【０００４】
こうした目的を達成するため、請求項１にかかる発明では、ディスプレイが備えられた表示装置において、視認しやすい方向の指向性が偏った上記ディスプレイを保持するとともに、複数の角度で設置可能な筐体と、上記筐体の設置方向を検知可能な方向センサと、上記ディスプレイに対して映像を出力する映像処理回路と、上記映像処理回路に上記方向センサによる設置方向の検知に基づいて上記映像処理回路が出力する映像の角度を切り換える切替手段とを具備する構成としてある。
【０００５】
上記のように構成した請求項１の発明において、筐体は視認しやすい方向の指向性が偏った状態でディスプレイを保持する。例えば液晶のようなディスプレイは視認しやすい方向に指向性が生じることが避けられないが、この指向性が、ある方向に偏ったディスプレイを筐体が保持する。すなわち、上から見ると見やすいが、反対の下から見ると見にくいというように視認性に偏りが生じるようにディスプレイが保持される。また、上記筐体は複数の角度で設置することができる。設置した角度によって上記ディスプレイが見にくい場合に使用者が筐体の設置角度を変えることにより視認性を向上させることができる。方向センサは上記筐体の設置方向を検知し、その検知結果に基づいて切替手段が上記ディスプレイに対して映像を出力する映像処理回路に映像の角度を切り換えさせる。これにより、上記筐体の設置方向が変わったことを認識することができ、それに応じて適正な方向に映像を回転させることができる。使用者が映像の回転方向を操作する必要がないため、使い勝手がよい。
【０００６】
また、本発明の一態様によれば、デジタルテレビジョン放送を受信し上記映像処理回路に放送データを出力するデジタルチューナを具備する構成とされる。デジタルテレビジョン放送はノイズに強いため、持ち運びが可能なポータブルの表示装置に好適であり、様々な場所に設置されることが想定される。その場合、使用者の目に対する上記ディスプレイの位置が一定しないため、設置位置に応じて視認しやすい角度で上記筐体の設置方向が変えられることとなる。しかし、設置方向を検知して適切な方向に映像が回転させられるため、映像を一定の角度で視認することができる。
【０００７】
さらに、本発明の別の一態様によれば、上記筐体は下底側に上記ディスプレイを保持する側方視略等角台形状の外形を有する構成とされる。上記筐体を側方から見ると、下底側に上記ディスプレイが保持された略等角台形状となる。互いに傾斜角の等しい斜面を有することとなるため、いずれの斜面を下にして設置面に置くことができる。従って、複数の設置角度で上記筐体を設置させることができる。斜面を下にして上記筐体を置くことにより、下底側に備えられた上記ディスプレイを斜めに傾斜させることができ、例えば床等に設置したときに上記ディスプレイが視認しやすくなる。
【０００８】
以上の構成をさらに具体化した液晶テレビジョンによっても本発明を実現することができ、その具体例として請求項４にかかる発明は、液晶ディスプレイが備えられた液晶テレビジョンにおいて、視認しやすい方向の指向性が偏った上記液晶ディスプレイを保持するとともに、下底側にて上記液晶ディスプレイを保持する側方視略等角台形状の外形を有し、上下を反転させたいずれの角度でも設置可能な据置型の筐体と、上記筐体の上下の設置方向を検知可能な方向センサと、上記液晶ディスプレイに対して映像を出力する映像処理回路と、デジタルテレビジョン放送を受信し上記映像処理回路に放送データを出力するデジタルチューナと、上記方向センサによる上下の設置方向の検知に基づいて上記映像処理回路が出力する映像の角度を１８０度反転させるか否かを切り換える切替手段とを具備する構成としてある。
【０００９】
かかる構成においても請求項１から請求項３の各発明の発明特定事項が含まれるため、請求項１から請求項３の各発明の単独または相乗的な作用効果が実現できることはいうまでもない。
【発明の効果】
【００１０】
以上説明したように請求項１および請求項４の発明によれば、使い勝手がよく視認方向の指向性を抑制できる液晶テレビジョンおよび表示装置を提供することができる。
請求項２の発明によれば、持ち運びに適したポータブルテレビジョンを実現できる。
請求項３の発明によれば、複数の方向に設置することができる。
【発明を実施するための最良の形態】
【００１１】
以下の順序にしたがって本発明の一実施形態を説明する。
（１）第１の実施形態：
（２）変形例：
【００１２】
（１）第１の実施形態
図１は、本発明の一実施形態にかかる表示装置としての液晶テレビジョンを斜めから見て示している。同図において、液晶テレビジョン１０は据置型の小型テレビジョンであり、前面に液晶ディスプレイ１２を保持する筐体１１を有している。筐体１１を床や机などの水平面に置くことにより、設置される。筐体１１は、持ち運びが可能な程度に小型に形成されている。
【００１３】
図２は、筐体１１を側方から見て示している。同図において、筐体１１は略等角台形状の外形を有するように形成されており、その下底側の矩形面に液晶ディスプレイ１２が保持されている。傾斜角度が等しい斜面１１ａ１，１１ａ２が設けられており、これらのいずれかが床や机などの水平面に接するように設置されている。斜面１１ａ１，１１ａ２は傾斜角度が等しいため、いずれを下にして設置したとしても液晶ディスプレイ１２の傾斜角度は一定となるように設置可能である。
【００１４】
液晶ディスプレイ１２は、バックライトと液晶（ＬＣＤ）パネルを備えており、バックライトにて発光した光を液晶パネルを構成する各画素のＲＧＢチャネルにて選択的に透過させることによってカラー映像の再現を可能としている。各画素においては、映像信号に基づいて液晶分子が傾斜することによって、選択的にバックライトを遮光させることができる。この液晶分子は、液晶パネルの表示面に対して傾きを有しているため、遮光しずらい角度においては表示画像が視認しにくくなり、視認しやすい角度に指向性が生じることとなる。
【００１５】
図２における筐体１１の上部を基準上部Ｕと示し、図２における筐体１１の下部を基準下部Ｌと示すものとする。本実施形態において、基準上部Ｕ側から見たときの方が視認性がよくなる角度で液晶ディスプレイ１２が保持されており、基準下部Ｌ側から見ると視認性が悪くなる。すなわち、あえて視認しやすい角度を上方に偏らせることにより、液晶テレビジョン１０を床に設置したときにおける使用者の上方からの視認性を確保することができる。ところが、液晶テレビジョン１０はポータブル型であるため、例えば棚や机の上などに置いて使用される場合もある。その場合、使用者の目の高さの方が低くなり、視認性に劣る基準下部Ｌ側から使用者が視認することとなる。
【００１６】
これに対して、筐体１１を上下反転させて棚や机の上などに設置することにより、使用者の目の高さの方が低くなる場合でも視認性に優れた基準上部Ｕ側から液晶ディスプレイ１２を視認することができる。筐体１１は傾斜角度が等しい斜面１１ａ１，１１ａ２を備えているため、斜面１１ａ２が設置面に接するようにして反転させることができる。
【００１７】
図３は、液晶テレビジョン１０の内部構成を示している。同図において、液晶テレビジョン１０は、マイコン１８とアンテナ１３とデジタルチューナ１４と映像処理回路１５とディスプレイドライバ１６と方向センサ１７を備えている。マイコン１８は、図示しないＣＰＵやＲＡＭやＲＯＭを備えており、ＲＯＭから読み出した制御プログラムをＲＡＭに展開しつつＣＰＵにおける演算処理により実行させ、後述する処理を実行する。液晶テレビジョン１０のポータブル性を高めるために小型のアンテナ１３が内蔵されていることが望ましい。
【００１８】
アンテナ１３は地上波デジタル放送が搬送されるＵＨＦ帯域の受信が可能なアンテナであり、受信された放送電波をデジタルチューナ１４に送出する。デジタルチューナ１４は、所望の受信周波数帯を設定する選局回路や復調回路や検波回路やデコーダ回路やデマルチプレックス回路等を具備しており、映像処理回路１５に対してデジタルの放送データとして映像信号を出力する。映像処理回路１５は、デジタル信号処理によって映像のサイズや画質を調整するスケーラ回路１５ａや画質調整回路１５ｂを備えている。また、映像処理回路１５は、映像の方向を切り換える切替回路１５ｃを備えている。ディスプレイドライバ１６は、切替回路１５ｃから出力された映像信号を液晶ディスプレイ１２が駆動可能な駆動信号に変換して出力する。
【００１９】
方向センサ１７は、筐体１１の上下方向に軸方向を有する一軸の傾斜センサであり、例えば水銀センサや振り子式のセンサを使用することができる。方向センサ１７によれば、筐体１１の基準上部Ｕが上方を向いて設置されているのか、筐体１１の基準上部Ｕが下方を向いて設置されているのかが検知可能である。方向センサ１７は、筐体１１の基準上部Ｕが下方を向いて設置されているときにハイレベル（１）の検知信号をマイコン１８に出力させ、それ以外の場合にはローレベル（０）の検知信号をマイコン１８に出力させる。
【００２０】
図４は、マイコン１８が実行する切替処理の流れを示している。この切替処理は、液晶テレビジョン１０の電源がＯＮしている間において周期的に行われている。ステップＳ１００においては、マイコン１８が方向センサ１７から入力される検知信号を監視し、ローレベル（０）の検知信号が入力された場合にはステップＳ１１０にて通常表示処理を行う。一方、ハイレベル（１）の検知信号が入力された場合にはステップＳ１２０にて反転表示処理を行う。反転表示処理においては映像処理回路１５の切替回路１５ｃに対して画像を反転させるための反転フラグをセットする。これにより、切替回路１５ｃにおいては映像を構成する各フレームデータを１８０度反転させる処理が行われ、液晶ディスプレイ１２には上下が反転した映像が表示されることとなる。一方、ローレベル（０）の検知信号が入力された通常表示処理においては切替回路１５ｃに対する反転フラグを解除する。
【００２１】
以上のような切替処理（切替手段）を周期的に行うことにより、筐体１１の設置方向を常時監視し、筐体１１の基準上部Ｕが下方に向いている場合にのみ映像の上下を１８０度反転させるように切り換えを行うことができる。これにより、使用者は以下のように液晶テレビジョン１０を視聴することができる。まず、ポータブルの液晶テレビジョン１０を使用者は自己の意図に応じて様々な場所に設置する。デジタルテレビジョンによればノイズの影響が少ないため、液晶テレビジョン１０が様々な位置に設置されることが想定される。また、筐体１１を防水構造としておくことにより、例えば風呂等においても自由に設置することができる。液晶ディスプレイ１２は視認しやすい方向に指向性があるため、視聴者は基準上部Ｕを上にするか下にするかいずれかの見やすい方向に筐体１１を反転させて設置することとなる。例えば、風呂においてシャワーを浴びているときは高い位置から見下ろすこととなり基準上部Ｕを上にして設置され、湯船に入っているときは低い位置から見上げることとなり基準上部Ｕを下にして設置されることとなる。
【００２２】
このときも上述した切替処理が常時実行されており、基準上部Ｕが上に設置された場合には方向センサ１７の検知に基づき通常通り基準上部Ｕ側が映像の上方となるように映像が表示される。一方、基準上部Ｕが下に設置された場合には方向センサ１７の検知に基づき基準上部Ｕ側が映像の下方となるように映像が表示される。いずれの場合においても実際に上方となっている方向に映像の上方が向くように切り換えられている。すなわち、使用者は自分の見やすい方向に筐体１１を反転させるだけで、映像は正しい方向に追従することとなる。従って、使い勝手が非常によいものとなる。
【００２３】
（２）変形例
以上は上下に映像を反転させるものを開示したが２軸以上の方向センサ１７を利用して９０度ごとに回転方向を検知し、９０度ごとに映像を回転させるようにしてもよい。例えば、筐体１１を側方視において等角台形とするだけでなく、上方視においても等角台形とすることにより、９０度ごと回転させて設置することが可能な液晶テレビジョンとすることができる。９０度回転指して設置された場合には、切替回路１５ｃが逆方向に映像を９０度回転させるようにすれば正常な方向で映像を見ることができる。また、９０度ごと回転させる場合、液晶ディスプレイ１２に対するアスペクト比が問題となるが、スケーラ回路１５ａにてアスペクト比を調整したり、黒幕を追加する等すればよい。以上は指向性が顕著な液晶ディスプレイに本発明を適用したものを例示したが、むろん他のプラズマディスプレイやリアプロジェクションディスプレイ等に本発明を適用することも可能である。
【図面の簡単な説明】
【００２４】
【図１】液晶テレビジョンの斜視図である。
【図２】液晶テレビジョンの側面図である。
【図３】液晶テレビジョンの内部ブロック図である。
【図４】切替処理のフローチャートである。
【符号の説明】
【００２５】
１０…液晶テレビジョン、１１…筐体、１１ａ１…斜面、１１ａ２…斜面、１２…液晶ディスプレイ、１３…アンテナ、１４…デジタルチューナ、１５…映像処理回路、１５ａ…スケーラ回路、１５ｂ…画質調整回路、１５ｃ…切替回路、１６…ディスプレイドライバ、１７…方向センサ、１８…マイコン、Ｌ…基準下部、Ｕ…基準上部。 
【図１】
2008281622.tif 000003
【図２】
2008281622.tif 000004
【図３】
2008281622.tif 000005
【図４】
2008281622.tif 000006